(57)【特許請求の範囲】
【請求項１】
開閉器収納箱に配置された開閉器を取り外す開閉器用工具において、
開閉器収納箱の天井の一部を挟み込んで保持する押さえ板と、接続母線の下端部を受ける座を有し、前記押さえ板から垂設されるフレームと、フレームに設けられた回転機構と、当該回転機構の回転軸に固定されたハンドルおよびカムとを備える引き離し工具と、
受け板と、台部と、前記受け板と台部との間に設けられるものであって、ゴムブッシュの様な弾性体、ゴムで形成されたエアクッション、または、コイルスプリングの何れかであるショック吸収体と、から構成され、開閉器の下方に配置される受け台と、
を有し、
前記引き離し工具は、前記ハンドルが回転軸を中心に回転させられたときに前記カムが開閉器の上面を押し下げて、開閉器を接続母線から切り離し、
前記受け台は、自重により下降した開閉器を柔軟に受け止めるとともに、受け板上に載置された開閉器の重力とショック吸収体の抗力とが釣り合う位置まで開閉器を下降させた状態で支持することを特徴とする開閉器用工具。
【発明の詳細な説明】
【０００１】
【発明の属する技術分野】
本発明は、開閉器収納箱（キャビネット）内に設置された地中配電用開閉器を取り外す際に用いる開閉器用工具に関する。
【０００２】
【従来の技術】
図７（ａ）は、開閉器収納箱５０内に設置された開閉器５１を示した正面図、図７（ｂ）は側面断面図である。
開閉器５１は、開閉器５１の上部に設けられたブッシングを介して接続母線５２に接続されている。
なお、開閉器５１を開閉器収納箱５０内に固定するための開閉器取付金具については、図中省略している。
【０００３】
図８は、開閉器５１を接続母線５２から切り離し、取り外すために、従来使用されていた開閉器用工具のうち引き離し工具６０を示す分解斜視図である。
引き離し工具６０は、接続母線５２の下端部を受けるための台座６１と、２枚の固定板６２から構成される。
台座６１に設けられたスリット６１ａに固定板６２の脚部６２ａの一方を差し込んで使用する。
【０００４】
図９は、引き離し工具６０を開閉器５１、及び接続母線５２に取り付けた状態を示した図である。
以下、図８、図９に基づいて引き離し工具６０の使用方法を説明する。
台座６１は、３個の半円形の座６１ｂを介して接続母線５２（３相なので３本ある）の下端部を受ける。
固定板６２の脚部６２ａの下端は、開閉器の上面に配置される。
ワイヤ６３（図９参照）は、台座６１に設けられたワイヤ穴６１ｃを通り、固定板６２に設けられたワイヤ穴６２ｂ、及びワイヤ溝６２ｃを通って、ウインチに接続される。
ワイヤ６３の端部のヘッド金具６３ａは前記台座６１のワイヤ穴６１ｃに係合し、ワイヤ６３の摺動管６４の端部６４ａは、前記固定板６２の側面に圧接される。
【０００５】
この状態から、ウインチによりワイヤ６３を引き上げると、ワイヤの端部が台座６１を固定板６２の脚部６２ａに沿って上方に持ち上げ、接続母線５２と開閉器５１とを引き離す（図１０参照）。
なお、図中明らかではないが、ワイヤ６３及び摺動管６４は、２組平行に配置され、１つのウインチに接続されている。
【０００６】
図９において、他方のワイヤ６５、摺動管６６は接続母線５２から引き離された開閉器５１を受け止める役割を果たすものである。
ワイヤ６５は、開閉器固定金具５３（開閉器を開閉器収納箱に固定するための金具）の両側面に設けられたワイヤ引っかけ部５３ａに通され、さらに、開閉器５１の両側面の上下に設けられた突出部５１ａ、５１ｂの穴に通され、ウインチに接続される。
ワイヤ６５のヘッド金具６３ａは、前記ワイヤひっかけ部５３ａに固定される。
摺動管６６の端部６６ａは、前記突出部５１ｂの下面に接触している。
なお、図中、ワイヤ６５、摺動管６６は１本のみ図示しているが、実際には開閉器５１の反対側の側面にもワイヤ６５、摺動管６６が設置されており、２本のワイヤ６５が１つのウインチに接続されている。
【０００７】
図１０は、引き離し工具６０、並びにワイヤ６５及び摺動管６６の作用を示した図である。
上述した引き離し工具６０により開閉器５１を接続母線５２から引き離す作業と同時に、作業者はワイヤ６５に接続された別のウインチを操作してワイヤ６５を緩める。そして、接続母線５２から引き離されて除々に下方向に下がる開閉器５１を前記摺動管６６の端部６６ａで受け止める。
この作業は、引き離し工具６０のワイヤ６３に接続されたウインチを操作する一の作業者と、ワイヤ６５に接続されたウインチを操作する他の作業者との共同作業であり、操作のタイミングを合わせて行われる。
【０００８】
【発明が解決しようとする課題】
しかしながら、上述した従来の開閉器用工具は、体積および重量の大きなウインチを２台も必要とし、当該ウインチを操作する作業者を最低２名必要としていた。
さらに、その作業は、２台のウインチの操作タイミングを合わせて行わなければならず、作業者の熟練を要していた。
特に、開閉器等の事故により、緊急に当該開閉器を取り外す場合に、作業に時間がかかり、電力会社の現場から作業時間の短縮が望まれていた。
【０００９】
そこで本発明は、作業者一人で簡易かつ短時間で開閉器を取り外すことのできる軽量かつ小型の開閉器用工具を提供しようとするものである。
【００１０】
【課題を解決するための手段】
上記課題を解決するため、請求項１記載の発明は、開閉器収納箱の天井の一部を挟み込んで保持する押さえ板と、接続母線の下端部を受ける座を有し、前記押さえ板から垂設されるフレームと、フレームに設けられた回転機構と、当該回転機構の回転軸に固定されたハンドルおよびカムとを備える引き離し工具を有する。
さらに、受け板と、台部と、前記受け板と台部との間に設けられるものであって、ゴムブッシュの様な弾性体、ゴムで形成されたエアクッション、または、コイルスプリングの何れかであるショック吸収体と、から構成され、開閉器の下方に配置される受け台とを有する。
そして、前記引き離し工具は、前記ハンドルが回転軸を中心に回転させられたときに前記カムが開閉器の上面を押し下げて、開閉器を接続母線から切り離し、
前記受け台は、自重により下降した当該開閉器を柔軟に受け止めるとともに、受け板上に載置された開閉器の重力とショック吸収体の抗力とが釣り合う位置まで開閉器を下降させた状態で支持することを特徴とする。
【００１１】
【発明の実施の形態】
以下、図に沿って本発明の実施形態を説明する。
図１は、実施形態を開閉器収納箱５０の内部に設置した状態を示した側面断面図である。
実施形態は、開閉器５１を接続母線５２から引き離すために使用する引き離し工具１と、当該引き離された開閉器５１を柔軟に受けるための受け台１０とを有する。
【００１２】
引き離し工具１は、開閉器収納箱５０の天井部分に固定される押さえ板２と、押さえ板２から垂設されるフレーム３と、フレーム３の基板３ａ上に設けられた回転機構４と、当該回転機構４の回転軸に固定されたハンドル５、及びカム６を備える。
受け台１０は、開閉器５１を受ける受け板１１と、台部１２と、受け板１１と台部１２との間に設けられたショック吸収体としてのコイルスプリング１３を備える。
【００１３】
図２は、実施形態の引き離し工具１の構成図であり、図２（ａ）は引き離し工具１の平面図（押え板２は省略してある）、図２（ｂ）は正面図、図２（ｃ）は側面図である。
なお、ハンドル５は、別途図３に示した。
【００１４】
押さえ板２は、コの字状を形成する２枚の板により、開閉器収納箱５０の天井の一部を挟み込んで、引き離し工具１を開閉器収納箱５０に固定、保持するものである。
開閉器収納箱５０の天井部の幅に応じて固定できるように、２枚の板の間隔をボルトに螺合している蝶ナット２ａを緩めることにより調整できる構造とした（図２（ｃ）参照）。
【００１５】
前記押さえ板２にはフレーム３が垂設されている。
なお、押さえ板２とフレーム３との間に挿入されたスペーサ７は、開閉器収納箱５０の天井部分と開閉器５１との距離の誤差を吸収するためのものである。
フレーム３の下部を構成する基板３ａには、半円形状の切り欠きに座３ｂが設けられる。
上記座３ｂは、接続母線５２の下端面を受け、後述するハンドル５の回転により、開閉器５１との間で接続母線５２を引き離す力を及ぼす面である。
【００１６】
基板３ａ上には、回転機構４が設けられる。
回転機構４は、回転軸４ａと、回転軸４ａをガイドする軸受け４ｂから構成され、軸受け４ｂは基板３ａに固定される。
【００１７】
前記回転軸４ａには、Ｕ字形の接続金具５ａを介してハンドル５が固定される。
また、回転軸４ａには、２枚の板状のカム６が固定される。
【００１８】
図３は、引き離し工具１のハンドル５の外観図であり、図３（ａ）は平面図、図３（ｂ）は正面図である。
ハンドル５の端部には、握り手５ａが設けられ、作業者が一人で手動により開閉器５１を取り外すことができる。
【００１９】
図４は、実施形態の受け台１０の外観図であり、図４（ａ）は正面図、図４（ｂ）は側面図である。
受け台１０は、開閉器５１を受ける受け板１１と、台部１２と、受け板１１と台部１２との間に設けられたショック吸収体としての４本のコイルスプリング１３とを備える。
コイルスプリング１３は、台部１２に固定されたスプリングガイド１４を囲繞し、保持される。
なお、実施形態においては、コイルスプリング１３を使用したが、これに限られるものではなく、例えば、ゴムブッシュの様な弾性体やゴムで形成されたエアクッションを受け板１１と台部１２との間に挟み込む構造とすることも可能である。
【００２０】
次に、実施形態の作用について説明する。
引き離し工具１、受け台１０を図１のように配置し、ハンドル５を手動により回転軸４ａを中心に上方向に操作する。
図５（ａ）は、ハンドル５の操作を開始した状態を示した図である。
ハンドル５により、回転軸４ａに固定した２枚の板状のカム６が開閉器５１の上面を加圧する。
これに伴い、フレームの座３ｂは接続母線５２の下端面を下方から上方に加圧することになる。
図５（ｂ）は、開閉器５１の上部のブッシング５１ｃが接続母線５２から抜けはじめ、開閉器５１が下方向に下がり始めた状態を示した図である。
開閉器５１が下がるにつれて、開閉器の下部に配置された受け台１０（図５では省略している）は、コイルスプリング１３の作用により、開閉器５１の重量を除々に受け止めることになる。
そして、開閉器５１が接続母線５２から完全に引き離されると、開閉器５１の全重量は受け台１０にかかり、コイルスプリング１３と開閉器５１の重量が釣り合う位置まで受け板１１は下がり、開閉器５１の取り外しが完了する。
図６は開閉器５１の取り外しが完了した状態を示した図である。
【００２１】
【発明の効果】
以上のように請求項１記載の発明によれば、ウインチを不要とし、作業者一人で簡易かつ短時間で開閉器収納箱に設置された開閉器を取り外すことができる。さらに、本発明の開閉器用工具は軽量かつ小型であるため、取り回しが容易で、作業時間を短縮することができる。
【図面の簡単な説明】
【図１】実施形態を開閉器収納箱の内部に設置した状態を示した側面断面図である。
【図２】実施形態の引き離し工具の構成図であり、図２（ａ）は引き離し工具の要部平面図、図２（ｂ）は正面図、図２（ｃ）は側面図である。
【図３】引き離し工具のハンドルの外観図であり、図３（ａ）は平面図、図３（ｂ）は正面図である。
【図４】実施形態の受け台の外観図であり、図４（ａ）は正面図、図４（ｂ）は側面図である。
【図５】図５（ａ）は、ハンドルの操作を開始した状態を示した図である。図５（ｂ）は、開閉器の上部のブッシングが接続母線から抜けはじめ、開閉器が下方向に下がり始めた状態を示した図である。
【図６】開閉器の取り外しが完了した状態を示した図である。
【図７】図７（ａ）は、開閉器収納箱内に設置された開閉器を示した正面図、図７（ｂ）は側面断面図である。
【図８】従来の引き離し工具を示す分解斜視図である。
【図９】引き離し工具を開閉器、及び接続母線に取り付けた状態を示した図である。
【図１０】従来の開閉器用工具の作用を示した図である。
【符号の説明】
１  引き離し工具
２  押さえ板
２ａ  ナット
３  フレーム
３ａ  基板
３ｂ  座
４  回転機構
４ａ  回転軸
４ｂ  軸受け
５  ハンドル
５ａ  接続金具
６  カム
１０  受け台
１１  受け板
１２  台部
１３  コイルスプリング
１４  スプリングガイド
【図１】
0003992327.tif 000002
【図２】
0003992327.tif 000003
【図３】
0003992327.tif 000004
【図４】
0003992327.tif 000005
【図５】
0003992327.tif 000006
【図６】
0003992327.tif 000007
【図７】
0003992327.tif 000008
【図８】
0003992327.tif 000009
【図９】
0003992327.tif 000010
【図１０】
0003992327.tif 000011